(57)【要約】【課題】電動工具用のバッテリーを電源として用いた場合でも良好な防水機能を有し、使い勝手に優れるライトを提供する。【解決手段】ライト３０は、ハウジングと、電源として用いられる電動工具用のバッテリー４１とを含んで前方に光を照射可能なライト本体３１と、ライト本体３１に左右方向の軸を中心に角度調整可能に連結され、ライト本体３１を支持して接地可能なフレーム７０と、を含み、ハウジングは、前ハウジング３２と後ハウジング４９とに二分割されると共に、後ハウジング４９は、前ハウジング３２に対して下端が回転可能に連結されて、バッテリー４１全体がハウジング内に収容されている。【選択図】図６
2019040885.tif 000002
【特許請求の範囲】
【請求項１】
ハウジングと、電源として用いられる電動工具用のバッテリーとを含んで前方に光を照射可能なライト本体と、
前記ライト本体に左右方向の軸を中心に角度調整可能に連結され、前記ライト本体を支持して接地可能なフレームと、を含み、
前記ハウジングは、前ハウジングと後ハウジングとに二分割されると共に、前記後ハウジングは、前記前ハウジングに対して下端が回転可能に連結されて、前記バッテリー全体が前記ハウジング内に収容されていることを特徴とするライト。
【請求項２】
前記フレームは、前記前ハウジングに対して連結されていることを特徴とする請求項１に記載のライト。
【請求項３】
前記バッテリーは、リチウムイオン電池を内蔵することを特徴とする請求項１又は２に記載のライト。
【請求項４】
前記フレームは、前記ライト本体よりも上方位置で左右方向に延びるハンドルを備えることを特徴とする請求項１乃至３の何れかに記載のライト。
【請求項５】
前記後ハウジングの上面にはラッチが設けられ、前記前ハウジングの上面には、前記後ハウジングが前記前ハウジングに当接する位置で前記ラッチが係止可能なフックが設けられることを特徴とする請求項４に記載のライト。
【請求項６】
前記フックは、前記ハンドルよりも下方に位置していることを特徴とする請求項５に記載のライト。
【請求項７】
前記ライト本体の前面に光の照射面が設けられ、前記ライト本体には、前記バッテリーを装着するためのガイドレールが、前記照射面と平行に設けられていることを特徴とする請求項１乃至６の何れかに記載のライト。
【請求項８】
前記バッテリーは前記ガイドレールに対してスライド装着可能で、係止爪を利用して前記ライト本体に固定されることを特徴とする請求項７に記載のライト。
【発明の詳細な説明】
【技術分野】
【０００１】
本発明は、電動工具用のバッテリーを電源として用いるライトに関する。
【背景技術】
【０００２】
ライトは、特許文献１に開示のように、ＬＥＤ等の照明体を備えた本体に、電源となるバッテリーを装着したものが知られている。このバッテリーは、電動工具に用いられるものと同じで、本体には、電動工具と同じ形態のバッテリー装着部が形成されて、そのバッテリー装着部にバッテリーが着脱可能となっている。
【先行技術文献】
【特許文献】
【０００３】
【特許文献１】特開２０１２−２８１４５号公報
【発明の概要】
【発明が解決しようとする課題】
【０００４】
上記従来のライトにおいては、バッテリー装着部にバッテリーを装着した状態では、結合部分を除いてバッテリーが露出した状態となる。しかし、バッテリー装着部とバッテリーとの間には防水構造が施されていないため、ユーザは当該バッテリーに水等が掛からないように注意して取り扱う必要があった。
【０００５】
そこで、本発明は、電動工具用のバッテリーを電源として用いた場合でも良好な防水機能を有し、使い勝手に優れるライトを提供することを目的としたものである。
【課題を解決するための手段】
【０００６】
上記目的を達成するために、請求項１に記載の発明は、ハウジングと、電源として用いられる電動工具用のバッテリーとを含んで前方に光を照射可能なライト本体と、ライト本体に左右方向の軸を中心に角度調整可能に連結され、ライト本体を支持して接地可能なフレームと、を含み、ハウジングは、前ハウジングと後ハウジングとに二分割されると共に、後ハウジングは、前ハウジングに対して下端が回転可能に連結されて、バッテリー全体がハウジング内に収容されていることを特徴とする。
請求項２に記載の発明は、請求項１の構成において、フレームは、前ハウジングに対して連結されていることを特徴とする。
請求項３に記載の発明は、請求項１又は２の構成において、バッテリーは、リチウムイオン電池を内蔵することを特徴とする。
請求項４に記載の発明は、請求項１乃至３の何れかの構成において、フレームは、ライト本体よりも上方位置で左右方向に延びるハンドルを備えることを特徴とする。
請求項５に記載の発明は、請求項４の構成において、後ハウジングの上面にはラッチが設けられ、前ハウジングの上面には、後ハウジングが前ハウジングに当接する位置でラッチが係止可能なフックが設けられることを特徴とする。
請求項６に記載の発明は、請求項５の構成において、フックは、ハンドルよりも下方に位置していることを特徴とする。
請求項７に記載の発明は、請求項１乃至６の何れかの構成において、ライト本体の前面に光の照射面が設けられ、ライト本体には、バッテリーを装着するためのガイドレールが、照射面と平行に設けられていることを特徴とする。
請求項８に記載の発明は、請求項７の構成において、バッテリーはガイドレールに対してスライド装着可能で、係止爪を利用してライト本体に固定されることを特徴とする。
【発明の効果】
【０００７】
本発明によれば、電動工具用のバッテリーを電源として用いた場合でも良好な防水機能を有し、使い勝手に優れたものとなる。
【図面の簡単な説明】
【０００８】
【図１】形態１のライトの分解斜視図である。
【図２】形態１のライトの縦断面図である。
【図３】下ハウジングを分離した形態１のライトの縦断面図である。
【図４】容量が異なるバッテリーを用いた形態１のライトの縦断面図である。
【図５】形態２のライトの斜視図である。
【図６】形態２のライトの縦断面図である。
【図７】後ハウジングを開放位置とした形態２のライトの斜視図である。
【図８】専用の三脚スタンドでライトを支持させた状態を示す斜視図である。
【図９】専用の三脚スタンドで２つのライトを支持させた状態を示す斜視図である。
【図１０】レーザー墨出し器用の三脚スタンドを用いる状態を示す説明図である。
【図１１】レーザー墨出し器用の三脚スタンドでライトを支持させた状態を示す斜視図である。
【図１２】カメラ用の三脚スタンドを用いる状態を示す説明図である。
【図１３】カメラ用の三脚スタンドでライト本体を支持させた状態を示す斜視図である。
【図１４】バッテリーの残容量低下の報知制御の説明図である。
【発明を実施するための形態】
【０００９】
以下、本発明の実施の形態を図面に基づいて説明する。
［形態１］
図１は、ライトの一例を示す分解斜視図、図２はライトの縦断面図で、ライト１は、上側の照明部２と下側のバッテリー保持部３とからなる。まず照明部２は、円筒状で透明な下レンズ４と、その下レンズ４の上方に設けられてＬＥＤを備えたライトユニット５と、ライトユニット５の上方に設けられるキャップ状の透明な上レンズ６とを備える。下レンズ４内の下側には、バッテリー保持部３の上面に固定される円錐状のリフレクタ７が配されている。
【００１０】
ライトユニット５は、下レンズ４と上レンズ６との間を仕切るリング８の中央でホルダ９に保持されているが、このホルダ９は、点対称位置に突設された一対の軸１０，１０がリング８に保持されることで、軸１０，１０を中心に回転可能となっている。一方の軸１０には、リング８の外側に突出するツマミ１１が連結されており、ツマミ１１の操作によってホルダ９を回転させることで、ライトユニット５の向きを上下何れかに選択可能となっている。すなわち、ライトユニット５を上向きとすれば、ＬＥＤの光が上レンズ６を介して上方へ照射されるため、バッテリー保持部３を把持してフラッシュライト（懐中電灯）として使用できる。
【００１１】
一方、ライトユニット５を下向きとすれば、ＬＥＤの光が下向きに照射され、リフレクタ７によって放射状に拡散し、下レンズ４を介して周囲に照射されるため、ランタンとして使用できる。リング８には、吊り下げ具としてのフック１２の基端が回転可能に連結されて、図１，２のようにフック１２の先端が照明部２の下端に収まる収納位置と、フック１２の先端が照明部２の上方に位置する引き出し位置とが任意に選択可能となっているため、ランタンとして使用する場合は、引き出し位置のフック１２を利用して壁等に吊り下げることができる。
【００１２】
次に、バッテリー保持部３のハウジングは、図３にも示すように、筒状の上ハウジング１３と下ハウジング１４とに二分割されており、上下ハウジング１３，１４は、上ハウジング１３の下端内周に形成した雌ネジ部１５に、下ハウジング１４の上端外周に形成した雄ネジ部１６を螺合させることで結合可能となっている。雄ネジ部１６の根元には、シール部材としてのＯリング１７が外装されて、上下ハウジング１３，１４の結合状態でＯリング１７が雌ネジ部１５の端部と当接して変形し、上下ハウジング１３，１４の合わせ面をシールするものとなる。
また、上ハウジング１３内には、内面上端に図示しない端子部を備えた内側ホルダ１８がネジ止めされて、下ハウジング１４の底部中央には、コイルバネ２０によって上方へ突出付勢される押圧ボタン１９が設けられている。
よって、バッテリー保持部３内で内側ホルダ１８と下ハウジング１４との間には、バッテリー２２の収容部２１が形成される。
【００１３】
バッテリー２２は、専用の充電器で充電され、インパクトドライバやドライバドリル等の電動工具の電源として使用されるもので、複数のリチウムイオン電池を内蔵したケースは、電動工具のハウジングに差し込み装着され、上面に図示しない端子部を備えた挿入部２３と、その挿入部２３の下端に形成される大径部２４とに形成され、大径部２４の左右の側面には、挿入部２３を差し込んだ状態で電動工具のハウジングに係止可能な係止爪２５が形成されている。よって、このバッテリー２２を電動工具に装着した場合は、挿入部２３のみが電動工具のハウジング内に隠れて大径部２４は外部に露出した状態となる。
【００１４】
しかし、バッテリー保持部３内に形成される収容部２１は、このバッテリー２２全体を収容可能となっている。すなわち、挿入部２３を上ハウジング１３の内側ホルダ１８に差し込んだ状態で、上ハウジング１３に下ハウジング１４を結合させると、バッテリー２２は上下ハウジング１３，１４によって完全に覆われるようになっている。
また、内側ホルダ１８と上ハウジング１３との間には、押しボタンスイッチ２６が設けられ、押しボタンスイッチ２６の外側で上ハウジング１３には、ゴム製のスイッチカバー２７が設けられている。２８は、バッテリー保持部３からライトユニット５へ電力を供給する導電体、２９は下ハウジング１４の周面及び底面に被着されたバンパである。
【００１５】
以上の如く構成されたライト１においては、下ハウジング１４を取り外して収容部２１を開放した状態で、バッテリー２２を内側ホルダ１８に差し込んで下ハウジング１４をねじ込み結合すると、前述のように収容部２１にバッテリー２２が収容される。この状態では、挿入部２３の上面に設けた端子部が内側ホルダ１８の端子部と電気的に接続される。このとき下ハウジング１４の押圧ボタン１９が大径部２４の底面に当接してバッテリー２２を上方へ押圧し、端子部同士の接触を維持させる。従って、図４に示すように容量が小さいバッテリー２２Ａを用いた場合でも、押圧ボタン１９が突出してバッテリー２２Ａを押し上げるため、電気的接続に支障は生じない。
【００１６】
よって、スイッチカバー２７を押して押しボタンスイッチ２６をＯＮさせると、ＬＥＤが点灯し、フラッシュライト又はランタンとして使用できる。
また、バッテリー２２は上下ハウジング１３，１４で完全に覆われて外部へ露出しない上、上下ハウジング１３，１４の結合部分はＯリング１７によってシールされているため、バッテリー保持部３の防水性は保持され、収容部２１内に水等が侵入するおそれはなくなる。
【００１７】
このように、上記形態１のライトによれば、電源となる電動工具用のバッテリー２２全体を上下ハウジング１３，１４内に収容しているので、電動工具用のバッテリー２２を電源として用いた場合でも良好な防水機能を有し、使い勝手に優れたものとなる。
特にここでは、バッテリー２２（２２Ａ）は、一つの面に端子部を備えて電気的接続されるものとなっているので、電気的接続した状態で端子部は露出しない。この状態でバッテリー２２（２２Ａ）全体がハウジング内に収容されるため、一層高い防水性を得ることができる。
また、ハウジングを、収容部２１を開閉可能に分割し、分割した上下ハウジング１３，１４同士の合わせ面に、上下ハウジング１３，１４の結合状態で収容部２１をシールするＯリング１７を設けたことで、ハウジングを分割しても防水性を確保することができる。
【００１８】
なお、上記形態では、上下ハウジングを完全に分離してネジ結合としているが、結合時の防水性が維持できれば、バヨネット結合を採用したり、下ハウジングを上ハウジングにヒンジ結合して下ハウジングに設けたフック等の係止部を係脱させることで収容部を開閉できるようにしたり、単純に上下ハウジング同士を差し込み結合する構造を採用したりしてもよい。
また、上記形態のライトはフラッシュライトとランタンとを選択して使用できるようになっているが、どちらか一方のみの機能を有するものであっても本発明の適用は可能である。
【００１９】
［形態２］
図５は、ライトの他の形態を示す斜視図、図６はライトの縦断面図で、このライト３０は、ライト本体３１と、そのライト本体３１を支持するフレーム７０とからなる定置型（いわゆる投光器）となっている。まずライト本体３１は、正面視が四角形状の前ハウジング３２内に、前面（図６の右側を前方とする。）に複数のＬＥＤ３４，３４・・を設けた基板３３を上下方向に設置し、前ハウジング３２の前面に透明板３５を嵌着してなる。３６は、基板３３と透明板３５との間に設けられたリフレクタである。
また、前ハウジング３２の後面上部は、図７にも示すように後下がりの傾斜面３７となっており、その傾斜面３７の中央に、バッテリー４１の装着部３８が凹設されている。さらに、前ハウジング３２の後面には、装着部３８を囲む四角形状の枠部３９が形成され、その枠部３９の後面には、全周に亘ってシール部材４０が、枠部３９の後面から突出する状態で埋設されている。
【００２０】
ここで使用されるバッテリー４１も、専用の充電器で充電され、インパクトドライバやドライバドリル等の電動工具の電源として使用されるもので、複数のリチウムイオン電池を内蔵した四角箱状のケース４２の上面（図６では右側が上面となっている。）には、電動工具のハウジングに形成した一対のガイドレール間に嵌合する左右一対のスライドレール４３，４３が形成されて、スライドレール４３，４３の間には、突出付勢される係止爪４４が設けられている。すなわち、スライドレール４３を電動工具のハウジングのガイドレール間に嵌合させて係止爪４４がハウジングに係止するまでスライドさせると、スライドレール４３，４３間で上面に設けた図示しない端子部が電動工具側の端子部と電気的接続されるものである。
【００２１】
よって、ここでの装着部３８の左右両側には、電動工具と同じ左右一対のガイドレール４５，４５が上下方向に突設されて、そのガイドレール４５，４５の間に、上下方向の端子板４７を備えた端子台４６が設けられている。端子台４６の上方には、係止爪４４が係止可能な凹部４８が形成されている。従って、バッテリー４１を、スライドレール４３，４３がガイドレール４５，４５間に嵌合するように上方からスライドさせ、係止爪４４が凹部４８に係止するまで下方へ押し込むと、図６，７に示すようにバッテリー４１は装着部３８へ縦向きに装着されて端子台４６の端子板４７がバッテリー４１の端子部と電気的接続される。
【００２２】
そして、前ハウジング３２の後方には、後ハウジング４９が設けられている。この後ハウジング４９は、前ハウジング３２の上面と連続状となる上面部５０と、前ハウジング３２の左右の側面と連続状となる側面部５１，５１と、前ハウジング３２の後面下部と連続状となる後面部５２とを備え、前面を前ハウジング３２の傾斜面３７に合わせて傾斜状にカットしたもので、下端が、装着部３８の下側に設けた左右方向の軸５３によって回転可能に連結されている。よって、後ハウジング４９は、図６のように前面が傾斜面３７に当接して上面部５０及び側面部５１が前ハウジング３２の上面及び側面とそれぞれ連続する図５，６の閉塞位置と、図７のように傾斜面３７から離れて装着部３８を開放する開放位置との間で回転可能となる。
【００２３】
また、後ハウジング４９の内部には、閉塞位置で前ハウジング３２の枠部３９と全周に亘って当接するリブ５４が立設されて、閉塞位置では、リブ５４と装着部３８とによってバッテリー４１全体を覆う収容部５５が形成されるようになっている。この状態でリブ５４の端面にシール部材４０が当接することで、収容部５５がシールされる。
さらに、後ハウジング４９の上面部５０には、レバー板５７とフック板５８との順番でヒンジ結合した周知のラッチ５６が設けられ、前ハウジング３２の上面には、フック板５８が係止可能なフック５９が立設されている。よって、後ハウジング４９の閉塞位置でフック板５８の前端をフック５９に係止させてフック板５８の後端を押し下げると、レバー板５７が倒伏してフック板５８の係止状態を維持するため、後ハウジング４９が閉塞位置でロックされる。
【００２４】
６０は、前ハウジング３２の前端を全周に亘って覆う保護枠で、保護枠６０の上部には、前ハウジング３２内に設けられた押しボタンスイッチ６１の上側に位置するボタン部６２が形成されている。押しボタンスイッチ６１は、ＬＥＤ３４と共に、端子台４６の前方に設けられたコントローラ６３に電気的接続されている。
また、前ハウジング３２の底部において、左右方向の中央部で後方寄り（バッテリー４１の真下）の位置には、１／２インチのネジ穴を下向きに開口させたナット部材６４が設けられている。
さらに、前ハウジング３２の左右の側面には、円形突起６５，６５が突設され、その円形突起６５の中心に、頭部にツマミ６６を備えた図示しないネジがそれぞれ螺合している。
【００２５】
一方、フレーム７０は、コ字状の上フレーム７１と同じくコ字状の下フレーム７２との端部同士を側面視Ｌ字状のエルボ７３，７３を介して連結したもので、この状態で上フレーム７１は斜め後ろにやや傾斜した状態で縦向きに立設され、下フレーム７２は横向きとなる。上フレーム７１の両端には、先端がフック状の連結板７４，７４がそれぞれ後ろ向きに固定されており、この連結板７４，７４の先端に、ライト本体３１の左右の円形突起６５に螺合されるネジを上方から係止させれば、ライト本体３１は上フレーム７１の後方で下フレーム７２から浮いた位置で回転可能に支持され、ツマミ６６の回転操作でネジをねじ込めば、円形突起６５とツマミ６６との間で連結板７４を挟持することでライト本体３１の回転を規制できる。ツマミ６６の回転操作でネジを緩めれば、左右方向の軸となるネジを中心としてライト本体３１を回転させてライト本体３１の向き（角度）を調整することができる。７１ａは、上フレーム７１の上端に形成されたハンドルで、このようにハンドル７１ａがフレーム７０と一体に形成されることで、ハンドルとフレームとを別々に設けるのに比べてコンパクトで使いやすい構造となる。
【００２６】
また、下フレーム７２の両端部間には、ライト本体３１の真下を横切る板状のバー７５が左右方向に架設されている。このバー７５の中央には、図６に示すように、５／８インチのネジ穴を有するナット７６が、ネジ穴を下方に開口させた状態で取り付けられている。７７は、バー７５の上面で下側片７８の先端をナット７６に外嵌させ、上側片７９の先端をナット７６の上方に位置させた二つ折り板で、上側片７９の先端は、ナット７６のネジ穴より小径の透孔８０が同軸で形成されたワッシャー形状となっている。
【００２７】
以上の如く構成されたライト３０においては、ラッチ５６を解除して後ハウジング４９を開放位置へ回転させて装着部３８を露出させた状態で、前述のように装着部３８に上方からバッテリー４１を装着した後、後ハウジング４９を閉塞位置へ回転させてラッチ５６をかけると、バッテリー４１は後ハウジング４９で完全に覆われて外部へ露出しない状態となる。このとき、バッテリー４１の収容部５５はシール部材４０によってシールされているため、収容部５５の防水性は保持され、水等が侵入するおそれはなくなる。
そして、フレーム７０を地面等に載置してボタン部６２を押して押しボタンスイッチ６１をＯＮさせると、ＬＥＤ３４が点灯し、前方を照射するものとなる。
【００２８】
なお、ここではコントローラ６３がバッテリー４１の電圧を監視しており、使用によってバッテリー４１の電圧が閾値以下に達すると、コントローラ６３は一部のＬＥＤ３４を消灯させてバッテリー４１の残容量が少ないことを報知するようになっている。この場合、残りのＬＥＤ３４は、光量を変えずにそのまま点灯を継続させてもよいし、電力節約のために光量を落として点灯を継続させるようにしてもよい。但し、一部のＬＥＤ３４を消灯させて報知する制御に限らず、電圧が閾値以下に低下すると全てのＬＥＤ３４の光量を落として報知するようにしても差し支えない。
【００２９】
このように、上記形態２のライト３０によれば、電源となる電動工具用のバッテリー４１全体を前後ハウジング３２，４９内に収容しているので、電動工具用のバッテリー４１を電源として用いた場合でも良好な防水機能を有し、使い勝手に優れたものとなる。
特にここでは、バッテリー４１は、一つの面に端子部を備えて電気的接続されるので、電気的接続した状態で端子部は露出しない。この状態でバッテリー４１全体が前後ハウジング３２，４９内に収容されるため、一層高い防水性を得ることができる。
また、ハウジングを、収容部５５を開閉可能に分割し、分割した前後ハウジング３２，４９同士の合わせ面に、前後ハウジング３２，４９の結合状態で収容部５５をシールするシール部材４０を設けたことで、ハウジングを分割しても防水性を確保することができる。
【００３０】
なお、上記形態では、後ハウジングを下側の軸で連結して収容部を開閉可能としているが、左右何れかの軸や上側の軸で連結しても差し支えない。
また、バッテリーは、上記形態のようなスライド装着するタイプに限らず、形態１で説明した差し込み装着するタイプであっても採用可能である。
さらに、フレームの形状変更は勿論、フレームを省略することもできる。
【００３１】
一方、ライト３０は、フレーム７０を直接地面等に載置することで定置型として使用する他、図８に示すように、専用の三脚スタンド８１を利用して定置することもできる。この三脚スタンド８１は、テレスコープ型で上下方向に伸縮可能とした支柱８２の先端に、フレーム７０のバー７５を載置可能な支持バー８３を直交状に固着したもので、支持バー８３の中央では、ツマミネジ８４を貫通させて支柱８２にねじ込み可能となっている。このツマミネジ８４は、ナット７６のネジ穴よりも径の小さいもので、バー７５を支持バー８３に載置した状態で、二つ折り板７７の上側からツマミネジ８４を、上側片７９、ナット７６、下側片７８、バー７５の順に貫通させて支柱８２にねじ込んで締め付けると、バー７５がナット７６及び二つ折り板７７を介して支持バー８３に押圧されてフレーム７０が支柱８２上に支持される。よって、ライト本体３１は支柱８２の上方から光を照射可能となる。
【００３２】
また、三脚スタンド８１では、図９に示すアタッチメント８５を用いることで２つのライト３０，３０を支持することもできる。このアタッチメント８５は、支持バー８３に載置されて中央がツマミネジ８４で固定される長尺バー８６を備えたもので、この長尺バー８６の両端に載置した２つのライト３０，３０を、それぞれツマミネジ８７，８７で図８と同様に連結可能となっている。８８は、長尺バー８６の中央に設けられてツマミネジ８４が上方から貫通するハンドル、８９は、長尺バー８６の両端下面へそれぞれ直交状に連結されたベースバーで、ベースバー８９は、ライト３０を取り付けるためにアタッチメント８５を地面等に載置した状態で長尺バー８６を地面等から浮かせて支持することで、長尺バー８６へのツマミネジ８７のねじ込みを可能としている。
【００３３】
一方、専用の三脚スタンドの利用に限らず、他の用途の三脚スタンドの使用も可能となっている。図１０に示す三脚スタンド９０は、レーザー墨出し器を取り付けるためのもので、この三脚スタンド９０の上端には、５／８インチの取付ネジ９１が上向きに突出していることから、この取付ネジ９１をフレーム７０のバー７５に固定されるナット７６に螺合させることで、図１１に示すように、三脚スタンド９０によってライト３０を支持させることができる。
また、図１２に示す三脚スタンド９２は、カメラ用のもので、この三脚スタンド９２の上端には、１／２インチの取付ネジ９３が上向きに突出していることから、この取付ネジ９３を、フレーム７０から取り外したライト本体３１の底面のナット部材６４に螺合させることで、図１３に示すように、三脚スタンド９２によってライト本体３１を支持させることができる。
【００３４】
そして、形態２のライト３０において、ＬＥＤ３４の点灯モードとバッテリー４１の残容量低下の報知制御とは、以下のようであってもよい。
まず、ここではボタン部６２を押し操作する度に、「切」「点灯（Ｈｉｇｈ）」「点灯（Ｌｏｗ）」の順でＬＥＤ３４の点灯モードが切り替えられるようになっている。ここで、光量の小さいＬｏｗモードでの点灯時にバッテリー４１の残容量が低下すると、１個のＬＥＤ３４（ここでは図１４において黒く塗りつぶしたもの）のみをＬｏｗモードから光量の大きいＨｉｇｈモードへ自動的に切り替えて点灯を継続させ、残りを消灯させるようにしている。また、Ｈｉｇｈモードでの点灯時にバッテリー４１の残容量が低下すると、同じく１個のＬＥＤ３４のみＨｉｇｈモードのまま点灯を継続させ、残りを消灯させるようにしている。これにより、残容量の低下が報知可能となっている。
【００３５】
この残容量低下時に点灯を継続させる１灯は、以下の理由によって選択されている。
まず、図１４に示す枠Ａで囲まれた６灯は、その周囲に位置する１４灯に比べると、視認性が高い。すなわち、ライト正面に対して斜めの場所で作業をしている場合でも見えやすく、確実に作業者に容量低下を報知することができる。また、高温になっているリフレクタ３６から遠いため、放熱効率が良く、残り少ない容量を有効に利用できる。すなわち、熱による損失が少ないため、より長く点灯でき、作業者のバッテリー交換のための時間を延ばすことができる。
よって、この枠Ａ内の６灯のうち、照射面の中央に位置する２灯（枠Ｂで囲まれた２灯）は、これらの効果が最も高いと考えられるため、この２灯のうちの一方を選択したものである。
但し、残容量低下時に点灯を継続させるのは１灯に限らず、例えば枠Ｂの２灯の点灯を共に継続させたり、枠Ａの６灯の点灯を全て継続させる等、複数灯の点灯を継続させることは可能である。
【００３６】
このように、この残容量の報知制御によれば、バッテリー電圧が閾値以下に達すると、少なくとも１灯の点灯を継続させて残りを消灯させるようにしたことで、残容量を有効に利用しつつ、作業者に残容量の低下を確実に報知することができる。
特に、ここでは点灯を継続させるＬＥＤを照射面の中央に近いものから選択したことで、高い視認性が得られると共に、残容量のより有効な利用が可能となっている。
【符号の説明】
【００３７】
１，３０・・ライト、２・・照明部、３・・バッテリー保持部、５・・ライトユニット、１３・・上ハウジング、１４・・下ハウジング、１５・・雌ネジ部、１６・・雄ネジ部、１７・・Ｏリング、１８・・内側ホルダ、２１，５５・・収容部、２２，４１・・バッテリー、２３・・挿入部、２４・・大径部、３１・・ライト本体、３２・・前ハウジング、３４・・ＬＥＤ、３８・・装着部、３９・・枠部、４０・・シール部材、４６・・端子台、４９・・後ハウジング、５４・・リブ、７０・・フレーム、７１・・上フレーム、７２・・下フレーム。
【図１】
2019040885.tif 000003
【図２】
2019040885.tif 000004
【図３】
2019040885.tif 000005
【図４】
2019040885.tif 000006
【図５】
2019040885.tif 000007
【図６】
2019040885.tif 000008
【図７】
2019040885.tif 000009
【図８】
2019040885.tif 000010
【図９】
2019040885.tif 000011
【図１０】
2019040885.tif 000012
【図１１】
2019040885.tif 000013
【図１２】
2019040885.tif 000014
【図１３】
2019040885.tif 000015
【図１４】
2019040885.tif 000016